(57)【要約】  蒸留水生成システム（１）は、メインタンク（２）と減圧機（３）と冷却器（４）とプール（５）を備える。メインタンク（２）には、蒸留水を生成するための原水として、海水または汚水が溜められる。減圧機（３）は、メインタンク（２）内を減圧状態にする。冷却器（４）は、メインタンク内（２）の上部に配置され、減圧状態で原水が蒸発することにより発生した水蒸気を冷却する。プール（５）は、メインタンク（２）内において冷却器（４）の下方に配置され、冷却器（４）により水蒸気が冷却され凝縮することによって得られる蒸留水が溜められる。この蒸留水生成システム（１）によれば、ランニングコストや建設設備費を低く抑えることができる。
2011052198.tif 000002
【特許請求の範囲】
【請求項１】
蒸留水を生成するための原水として、海水または汚水が溜められるタンクと、
前記タンク内を減圧状態にする減圧機と、
前記タンク内の上部に配置され、前記減圧状態で前記原水が蒸発することにより発生した水蒸気を冷却する冷却器と、
前記タンク内において前記冷却器の下方に配置され、前記冷却器により前記水蒸気が冷却され凝縮することによって得られる蒸留水を溜めるプールと、
を備えることを特徴とする蒸留水生成システム。
【請求項２】
前記冷却器が前記水蒸気を冷却するために用いた冷媒を圧縮して、前記冷媒の圧力と温度を上げる圧縮機と、
前記タンクの下部に配置され、前記圧縮により温度が上げられた冷媒が通され、前記冷媒からの排熱を利用して前記原水の蒸発を促進する蒸発促進パイプと、
を備える、請求項１に記載の蒸留水生成システム。
【請求項３】
前記プール内の下部に配置され、前記冷却器が前記水蒸気を冷却するために用いた冷媒が通され、前記冷媒により前記蒸留水を冷やして前記蒸留水の再蒸発を抑制する再蒸発抑制パイプを備える、請求項１または請求項２に記載の蒸留水生成システム。
【請求項４】
前記プールの内壁と外壁との間には、断熱材が設けられている、請求項１〜請求項３のいずれかに記載の蒸留水生成システム。
【請求項５】
前記蒸留水に殺菌処理を施す殺菌処理部を備える、請求項１〜請求項４のいずれかに記載の蒸留水生成システム。
【請求項６】
前記蒸留水をミネラル鉱石層に通すことにより、前記蒸留水にミネラル処理を施すミネラル処理部を備える、請求項１〜請求項５のいずれかに記載の蒸留水生成システム。
【発明の詳細な説明】
【技術分野】
【０００１】
本発明は、海水や汚水などから蒸留水を生成するシステムに関するものである。
【背景技術】
【０００２】
現在、地球規模で水不足が進んでおり、深刻な問題となっている。例えば、地球規模での水不足のために砂漠化が進んでいる。一部の地域では、農業用地や牧草地の砂漠化の影響で、農作物の栽培が不可能となり、食糧危機が発生するという問題があり、また、家畜や野生動物などが餓死するという問題も起きている。【０００３】
また、発展途上国の一部では、河川や湖などが汚染され、飲料水に適さない水を飲んでいるという現状もある。また、熱帯地方の一部の地域では、河川の水に寄生虫や原虫などが寄生しているが、その水が生活用水や飲料水として使用されるために、その寄生虫や原虫が原因となる病気が、その地方の風土病として、主に乳児や幼児等を中心に、深刻な被害をもたらしている。【０００４】
このままでは、近い将来、地球全体で生活用水や飲料水、農業用水などが不足するのは必至であり、そのため、海水や汚水などから蒸留水を生成するシステムの開発、実用化が期待されている。従来、海水等から淡水を生成する装置が提案されているが、そのような淡水化装置の多くは、逆浸透膜フィルターを用いるものである（例えば、特許文献１参照）。【０００５】
しかしながら、従来の装置では、逆浸透膜フィルターに海水等を通すことによって淡水を生成する処理が行われるが、そのような淡水化処理では、定期的に逆浸透膜フィルターの交換が必要である。したがって、フィルター交換のためのランニングコストがかかってしまう。また、従来の淡水化装置の多くは、大規模なプラント建設が必要であり、多大な建設設備費がかかってしまう。
【先行技術文献】
【特許文献】
【０００６】
【特許文献１】特開２００５−１４４３３２号公報
【発明の概要】
【発明が解決しようとする課題】
【０００７】
本発明は、上記背景の下でなされたものである。本発明の目的は、ランニングコストや建設設備費を低く抑えることのできる蒸留水生成システムを提供することにある。
【課題を解決するための手段】
【０００８】
本発明の一の態様は、蒸留水生成システムであり、この蒸留水生成システムは、蒸留水を生成するための原水として、海水または汚水が溜められるタンクと、タンク内を減圧状態にする減圧機と、タンク内の上部に配置され、減圧状態で原水が蒸発することにより発生した水蒸気を冷却する冷却器と、タンク内において冷却器の下方に配置され、冷却器により水蒸気が冷却され凝縮することによって得られる蒸留水を溜めるプールと、を備えている。【０００９】
以下に説明するように、本発明には他の態様が存在する。したがって、この発明の開示は、本発明の一部の態様の提供を意図しており、ここで記述され請求される発明の範囲を制限することは意図していない。
【図面の簡単な説明】
【００１０】
【図１】本発明の実施の形態における蒸留水生成システムの説明図
【図２】本発明の実施の形態における蒸留水生成システムの説明図
【発明を実施するための形態】
【００１１】
以下に本発明の詳細な説明を述べる。ただし、以下の詳細な説明と添付の図面は発明を限定するものではない。
【００１２】
本発明の蒸留水生成システムは、蒸留水を生成するための原水として、海水または汚水が溜められるタンクと、タンク内を減圧状態にする減圧機と、タンク内の上部に配置され、減圧状態で原水が蒸発することにより発生した水蒸気を冷却する冷却器と、タンク内において冷却器の下方に配置され、冷却器により水蒸気が冷却され凝縮することによって得られる蒸留水を溜めるプールと、を備えている。
【００１３】
このような本発明では、減圧機によりタンク内が減圧状態にされるので、原水（海水や汚水）を低温で蒸発させることができる。原水が蒸発することにより発生した水蒸気は、冷却器により冷却され凝縮すると蒸留水となり、プールに溜められる。本発明のシステムでは、従来の逆浸透膜フィルターを用いた淡水化処理と異なり、定期的なフィルター交換をする必要がなく、ランニングコストを低く抑えることができる。また、従来の淡水化装置のような大規模なプラント建設を要せず、建設設備費を低く抑えることができる。
【００１４】
また、本発明の蒸留水生成システムは、冷却器が水蒸気を冷却するために用いた冷媒を圧縮して、冷媒の圧力と温度を上げる圧縮機と、タンクの下部に配置され、圧縮により温度が上げられた冷媒が通され、冷媒からの排熱を利用して原水の蒸発を促進する蒸発促進パイプと、を備えてもよい。
【００１５】
このような本発明では、タンク内の下部に配置される蒸発促進パイプには、圧縮機を用いて圧縮された高温の冷媒が通され、この高温の冷媒からの排熱によりタンク内の原水（海水や汚水）の蒸発が促進される。この場合、水蒸気を冷却するために用いられる冷媒（低温の冷媒）を圧縮により高温にして、原水を蒸発させるのに利用することができる。このようにして、同じ冷媒を、水蒸気の冷却と原水の蒸発促進の両方に利用することができるので、効率的である。
【００１６】
また、本発明の蒸留水生成システムは、プール内の下部に配置され、冷却器が水蒸気を冷却するために用いた冷媒が通され、冷媒により蒸留水を冷やして蒸留水の再蒸発を抑制する再蒸発抑制パイプを備えてもよい。
【００１７】
このような本発明では、プール内の下部に配置される再蒸発抑制パイプには、水蒸気を冷却するために用いられた冷媒（低温の冷媒）が通され、この低温の冷媒を利用（再利用）してプール内の蒸留水の再蒸発が抑制される。このようにして、同じ冷媒を、水蒸気の冷却と蒸留水の再蒸発抑制の両方に利用することができるので、効率的である。
【００１８】
また、本発明の蒸留水生成システムでは、プールの内壁と外壁との間に、断熱材が設けられてもよい。
【００１９】
このような本発明では、断熱材により、プールの内壁から外壁へ熱が伝わるのが抑えられる。したがって、プール内の低温の蒸留水によりプールの内壁が冷やされたとしても、断熱材の断熱効果により、プールの外壁が冷やされるのを抑えることができ、プールの外底部に結露が発生するのを抑えることができる。また、断熱材により、プールの外壁から内壁へ熱が伝わるのも抑えられる。したがって、タンク内の高温の水蒸気によりプールの外壁が温められたとしても、断熱材の断熱効果により、プールの内壁が温められるのを抑えることができ、プール内の蒸留水が再蒸発するのを抑えることができる。
【００２０】
また、本発明の蒸留水生成システムは、蒸留水に殺菌処理を施す殺菌処理部を備えてもよい。
【００２１】
このような本発明では、プール内の蒸留水に雑菌が混入したとしても、殺菌処理（例えば、オゾンを用いた殺菌処理）が施されるので、飲料水等に適した蒸留水を得ることができる。
【００２２】
また、本発明の蒸留水生成システムは、蒸留水をミネラル鉱石層に通すことにより、蒸留水にミネラル処理を施すミネラル処理部を備えてもよい。
【００２３】
このような本発明では、蒸留水にミネラル処理が施されるので、飲料水に適したミネラル水を得ることができる。
【００２４】
本発明によれば、蒸留水生成システムのランニングコストや建設設備費を低く抑えることができる。
【００２５】
以下、本発明の実施の形態の蒸留水生成システムについて、図面を用いて説明する。本実施の形態では、海水や汚水などから蒸留水を生成する浄水化システム等に用いられる蒸留水生成システムの場合を例示する。
【００２６】
本発明の実施の形態の蒸留水生成システムの構成を、図面を参照して説明する。図１および図２は、本実施の形態の蒸留水生成システムの説明図である。図１および図２に示すように、蒸留水生成システム１は、蒸留水を生成するための原水として、海水や汚水（汚染された河川や湖などの水）が溜められるメインタンク２（単にタンク２ともいう）と、タンク２内を減圧状態にする減圧機３を備えている。メインタンク２は、タンク２内に所定量の原水が溜められると、完全密閉して、減圧・蒸発・蒸留の各処理（浄水化のための処理）が行われる。なお、このタンク２を屋外に設置することにより、日中は太陽の輻射熱によってタンク２内の原水の温度を上げることができる。
【００２７】
タンク２内の上部には、減圧状態で原水が蒸発したことにより発生した水蒸気を冷却するための冷却器４が備えられている。冷却器４は、冷却コイルなどで構成されている。冷却器４は、冷媒を噴射することにより、噴射された冷媒の蒸発熱によって周囲の熱を奪う（冷却する）機能を備えている。したがって、この冷却器４は、蒸発器と呼ぶこともできる。
【００２８】
タンク２内において冷却器４の下方には、冷却器４により水蒸気が冷却されて凝縮することにって得られる蒸留水が溜められるプール５が備えられている。この場合、冷却機に結露した水滴（蒸留水）が落下してプール５に溜められることになる。プール５の内壁６と外壁７の間には、断熱材８が設けられている。この断熱材８により、プール５の内壁６から外壁７へ熱が伝わるのが抑えられており、また、プール５の外壁７から内壁６へ熱が伝わるのも抑えられている。
【００２９】
プール５内の下部には、再蒸発抑制パイプ９が螺旋状に配置されている。再蒸発抑制パイプ９には、冷却器４が水蒸気を冷却するために用いた冷媒が通されている。この冷媒により蒸留水が冷やされて、プール５内の蒸留水の再蒸発が抑制されている。したがって、この再蒸発抑制パイプ９は、冷却パイプと呼ぶこともできる。
【００３０】
再蒸発抑制パイプ９は、圧縮機１０に接続されている。圧縮機１０は、冷却器４が水蒸気を冷却するために用いた冷媒（再蒸発抑制パイプ９が蒸留水の再蒸発を抑制するために用いた冷媒）を圧縮して、冷媒の圧力と温度を上げる機能を備えている。
【００３１】
タンク２の下部には、蒸発促進パイプ１１が螺旋状に配置されている。蒸発促進パイプ１１には、圧縮機１０によって圧縮されて温度が上げられた冷媒（高温高圧の冷媒）が通される。この冷媒からの排熱を利用して、タンク２内の原水の蒸発が促進されている。また、タンク２の下部には、タンク２内の原水の温度を上げるための予備ヒーター１２が備えられている。予備ヒーター１２は、夜間や曇天時などの外気温度が低い場合に、タンク２内の原水の温度を上げるのに用いられる。
【００３２】
蒸発促進パイプ１１は、凝縮器１３に接続されている。凝縮器１３は、圧縮機１０によって圧縮されて温度が上げられた冷媒（タンク２内の原水の蒸発を促進するために用いられた高温高圧の冷媒）を低温にして液化する機能を備えている。凝縮器１３によって低温にされた冷媒は、冷却器４に送られて、水蒸気を冷却するのに用いられる。この場合、凝縮器１３と冷却器４との間には、膨張弁１４が設けられている。膨張弁１４は、高温高圧の液化した冷媒を急速に断熱膨張させるために、絞り弁として圧力と温度を下げる機能を備えている。 
【００３３】
メインタンク２には、原水をタンク２内に供給するための給水パイプ１５が備えられており、給水パイプ１５には、タンク２内に供給される原水の量を調整してタンク２内の原水が所定量になるようにするための給水バルブ１６が設けられている。また、メインタンク２には、原水をタンク２から排出（廃棄）するための原水排出口１７が備えられており、原水排出口１７には、タンク２から排出する原水の量を調整するための原水排出バルブ１８が設けられている。さらに、メインタンク２には、原水の排出時などにタンク２内を常圧にするための加圧パイプ１９が備えられており、加圧パイプ１９には、タンク２内の圧力を上げる量を調整するための加圧バルブ２０が設けられている（図２参照）。
【００３４】
プール５の底部には、蒸留水（浄水化された原水）をプール５から取り出すための蒸留水取出しパイプ２１が備えられている。蒸留水取出しパイプ２１には、蒸留水の流出口である蒸留水取出し口２２と、蒸留水の流出量を調整するための蒸留水取出しバルブ２３が設けられている。また、蒸留水取出しパイプ２１には、蒸留水を強制的に取り出すための蒸留水取出しポンプ２４が設けられている。さらに、蒸留水取出しパイプ２１には、ミネラル鉱石層２５（ミネラル鉱石フィルター）が取り付けられている。ミネラル鉱石層２５は、蒸留水を飲料水として使用する場合に、蒸留水を通過させてミネラルを含有させる（ミネラル処理をする）ためのフィルターである。
【００３５】
また、プール５には、蒸留水（浄水化された原水）をオゾンガスにより殺菌するためのオゾン曝気板２６が備えられている。オゾン曝気板２６には、オゾン発生器２７で生成されたオゾンガスを送るための送オゾンパイプ２８が接続されている。オゾン発生器２７には、オゾンガスの原料としてメインタンク２内の空気を吸入するための空気吸入パイプ２９が設けられている。このオゾン発生器２７は、空気吸入パイプ２９から吸入した空気（メインタンク２内の空気）を除湿してオゾンガスを発生させる機能を備えている。
【００３６】
なお、本実施の形態では、プール５の内壁６に、オゾンによる酸化（錆の発生）を防止するためのコーティング処理が施されているか、あるいは、耐酸化性を有する材料が用いられている。また、本実施の形態では、冷却器４の水蒸気冷却部（水蒸気が冷却されて凝縮する部分）に、高温高湿度環境による酸化を防止するためのコーティング処理が施されているか、あるいは、耐酸化性を有する材料が用いられている。
【００３７】
以上のように構成された蒸留水生成システム１について、その動作を説明する。
【００３８】
本実施の形態の蒸留水生成システム１を用いて蒸留水を生成するときには、まず、加圧バルブ２０と給水バルブ１６を開いて、給水パイプ１５から原水（海水や汚水など）をメインタンク２内に注入する。そして、所定量の原水の注入が完了した後、加圧バルブ２０と給水バルブ１６を閉める。
【００３９】
次に、減圧機３を駆動してメインタンク２内を減圧する。続いて、凝縮器１３と圧縮機１０を駆動させる。凝縮器１３を駆動させることにより、冷却器４（や再蒸発抑制パイプ９）へ送られる冷媒が冷却される。また、圧縮機１０を駆動させることにより、蒸発促進パイプ１１へ送られる冷媒の温度が上げられる。
【００４０】
蒸発促進パイプ１１からの排熱によりタンク２内の原水が蒸発する。この場合、メインタンク２内が減圧状態であるので、原水の蒸発温度は大気圧下での蒸発温度より低い。なお、原水を熱する熱量が不足している場合には、予備ヒーター１２を用いてタンク２内の原水を熱してもよい。
【００４１】
原水が蒸発することにより発生した水蒸気は、冷却器４により冷却され凝縮して、冷却器４の表面に結露する。冷却器４の表面に結露した水滴（蒸留水）は、プール５内に落下して溜められる。この場合、オゾン発生器２７を駆動させると、プール５内に溜められた蒸留水が、オゾンガスに曝気されて殺菌される。
【００４２】
蒸留水の生成が完了した後、蒸留水取出しバルブ２３を開き、蒸留水取出しポンプ２４を駆動させると、プール５内の蒸留水が、ミネラル鉱石層２５によってミネラル処理された後、蒸留水取出し口２２から取り出される。なお、メインタンク２内に残った原水は、原水排出バルブ１８を開いて、原水排出口１７から廃棄される。
【００４３】
このような本実施の形態の蒸留水生成システム１によれば、ランニングコストや建設設備費を低く抑えることができる。
【００４４】
すなわち、本実施の形態では、減圧機３によりタンク２内が減圧状態にされるので、原水（海水や汚水）を低温で蒸発させることができる。原水が蒸発することにより発生した水蒸気は、冷却器４により冷却され凝縮すると蒸留水となり、プール５に溜められる。本発明のシステムでは、従来の逆浸透膜フィルターを用いた淡水化処理と異なり、定期的なフィルター交換をする必要がなく、ランニングコストを低く抑えることができる。また、従来の淡水化装置のような大規模なプラント建設を要せず、建設設備費を低く抑えることができる。
【００４５】
また、本実施の形態では、タンク２内の下部に配置される蒸発促進パイプ１１には、圧縮機１０を用いて圧縮された高温の冷媒が通され、この高温の冷媒からの排熱によりタンク２内の原水（海水や汚水）の蒸発が促進される。この場合、水蒸気を冷却するために用いられる冷媒（低温の冷媒）を圧縮により高温にして、原水を蒸発させるのに利用することができる。このようにして、同じ冷媒を、水蒸気の冷却と原水の蒸発促進の両方に利用することができるので、効率的である。
【００４６】
また、本実施の形態では、プール５内の下部に配置される再蒸発抑制パイプ９には、水蒸気を冷却するために用いられた冷媒（低温の冷媒）が通され、この低温の冷媒を利用（再利用）してプール５内の蒸留水の再蒸発が抑制される。このようにして、同じ冷媒を、水蒸気の冷却と蒸留水の再蒸発抑制の両方に利用することができるので、効率的である。
【００４７】
また、本実施の形態では、断熱材８により、プール５の内壁６から外壁７へ熱が伝わるのが抑えられる。したがって、プール５内の低温の蒸留水によりプール５の内壁６が冷やされたとしても、断熱材８の断熱効果により、プール５の外壁７が冷やされるのを抑えることができ、プール５の外底部に結露が発生するのを抑えることができる。また、断熱材８により、プール５の外壁７から内壁６へ熱が伝わるのも抑えられる。したがって、タンク２内の高温の水蒸気によりプール５の外壁７が温められたとしても、断熱材８の断熱効果により、プール５の内壁６が温められるのを抑えることができ、プール５内の蒸留水が再蒸発するのを抑えることができる。
【００４８】
また、本実施の形態では、プール５内の蒸留水に雑菌が混入したとしても、オゾンを用いた殺菌処理が施されるので、飲料水等に適した蒸留水を得ることができる。なお、蒸留水の殺菌方法は、オゾンを用いた殺菌に限られず、例えば、流水型紫外線殺菌装置を利用した殺菌方法や、フィルターによる異物細菌除去などの技術を用いた殺菌方法を利用してもよい。
【００４９】
また、本実施の形態では、蒸留水にミネラル処理が施されるので、飲料水に適したミネラル水を得ることができる。
【００５０】
以上、本発明の実施の形態を例示により説明したが、本発明の範囲はこれらに限定されるものではなく、請求項に記載された範囲内において目的に応じて変更・変形することが可能である。
【００５１】
例えば、以上の説明では、プール５内で蒸留水の殺菌を行う場合について説明したが、蒸留水の殺菌処理は、蒸留水生成システム１の外部に設けられた別の処理装置で行われてもよい。オゾンガスを用いた殺菌処理を外部の処理装置（別の処理装置）で行う場合、プール５の内壁６に、オゾンによる酸化（錆の発生）を防止するためのコーティング処理を施したり、耐酸化性を有する材料を用いる必要がない。
【００５２】
また、蒸留水の殺菌処理が、蒸留水生成システム１の外部に設けられた別の処理装置で行われる場合には、ミネラル鉱石層２５によるミネラル処理も、外部に設けられた別の処理装置で行われてよい。ミネラル処理は、蒸留水の殺菌処理の後に施されるほうが好ましいためである。
【００５３】
以上に現時点で考えられる本発明の好適な実施の形態を説明したが、本実施の形態に対して多様な変形が可能なことが理解され、そして、本発明の真実の精神と範囲内にあるそのようなすべての変形を添付の請求の範囲が含むことが意図されている。
【産業上の利用可能性】
【００５４】
以上のように、本発明にかかる蒸留水生成システムは、ランニングコストや建設設備費を低く抑えることができるという効果を有し、海水や汚水などから蒸留水を生成する浄水化システム等として有用である。
【符号の説明】
【００５５】
１  蒸留水生成システム
２  メインタンク
３  減圧機
４  冷却器
５  プール
６  内壁
７  外壁
８  断熱材
９  再蒸発抑制パイプ
１０  圧縮機
１１  蒸発促進パイプ
１２  予備ヒーター
１３  凝縮器
１４  膨張弁
１５  給水パイプ
１６  給水バルブ
１７  原水排出口
１８  原水排出バルブ
１９  加圧パイプ
２０  加圧バルブ
２１  蒸留水取出しパイプ
２２  蒸留水取出し口
２３  蒸留水取出しバルブ
２４  蒸留水取出しポンプ
２５  ミネラル鉱石層
２６  オゾン曝気板
２７  オゾン発生器
２８  送オゾンパイプ
２９  空気吸入パイプ
【図１】
2011052198.tif 000003
【図２】
2011052198.tif 000004
【手続補正書】
【提出日】平成23年8月19日(2011.8.19)
【手続補正１】
【補正対象書類名】特許請求の範囲
【補正対象項目名】全文
【補正方法】変更
【補正の内容】
【特許請求の範囲】
【請求項１】
蒸留水を生成するための原水として、海水または汚水が溜められるタンクと、
前記タンク内を減圧状態にする減圧機と、
前記タンク内の上部に配置され、前記減圧状態で前記原水が蒸発することにより発生した水蒸気を冷却する冷却器と、
前記タンク内において前記冷却器の下方に配置され、前記冷却器により前記水蒸気が冷却され凝縮することによって得られる蒸留水を溜めるプールと、
前記プール内の下部に配置され、前記冷却器が前記水蒸気を冷却するために用いた冷媒が通され、前記冷媒により前記蒸留水を冷やして前記蒸留水の再蒸発を抑制する再蒸発抑制パイプと、
前記冷却器により前記水蒸気を冷却するために用いられた後に前記再蒸発抑制パイプにより前記蒸留水の再蒸発を抑制するために用いられた冷媒を圧縮して、前記冷媒の圧力と温度を上げる圧縮機と、
前記タンクの下部に配置され、前記圧縮により温度が上げられた冷媒が通され、前記冷媒からの排熱を利用して前記原水の蒸発を促進する蒸発促進パイプと、
を備え、
前記プールの内壁と外壁との間には、断熱材が設けられており、
前記冷却器の水蒸気冷却部の材料として、耐酸化性を有する材料が用いられていることを特徴とする蒸留水生成システム。
【請求項２】
蒸留水を生成するための原水として、海水または汚水が溜められるタンクと、
前記タンク内を減圧状態にする減圧機と、
前記タンク内の上部に配置され、前記減圧状態で前記原水が蒸発することにより発生した水蒸気を冷却する冷却器と、
前記タンク内において前記冷却器の下方に配置され、前記冷却器により前記水蒸気が冷却され凝縮することによって得られる蒸留水を溜めるプールと、
前記プール内の下部に配置され、前記冷却器が前記水蒸気を冷却するために用いた冷媒が通され、前記冷媒により前記蒸留水を冷やして前記蒸留水の再蒸発を抑制する再蒸発抑制パイプと、
前記冷却器により前記水蒸気を冷却するために用いられた後に前記再蒸発抑制パイプにより前記蒸留水の再蒸発を抑制するために用いられた冷媒を圧縮して、前記冷媒の圧力と温度を上げる圧縮機と、
前記タンクの下部に配置され、前記圧縮により温度が上げられた冷媒が通され、前記冷媒からの排熱を利用して前記原水の蒸発を促進する蒸発促進パイプと、
を備え、
前記プールの内壁と外壁との間には、断熱材が設けられており、
前記冷却器の水蒸気冷却部には、酸化を防止するためのコーティング処理が施されていることを特徴とする蒸留水生成システム。
【請求項３】
（削除）
【請求項４】
（削除）
【請求項５】
前記蒸留水に殺菌処理を施す殺菌処理部を備える、請求項１または請求項２に記載の蒸留水生成システム。
【請求項６】
前記蒸留水をミネラル鉱石層に通すことにより、前記蒸留水にミネラル処理を施すミネラル処理部を備える、請求項１または請求項２に記載の蒸留水生成システム。
【請求項７】
前記タンクには、前記原水を排出するときに前記タンク内を常圧にするための加圧パイプが備えられている、請求項１または請求項２に記載の蒸留水生成システム。
【国際調査報告】
2011052198.tif 000005
2011052198.tif 000006
2011052198.tif 000007
2011052198.tif 000008